(57)【要約】【課題】利用者の取引処理を管理して、オフラインであっても現金の引出を行うことができる現金引出管理方法を提供する。【解決手段】管理コンピュータ２１は、携帯電話端末３０から受信した預金口座の暗証番号に基づいてユーザ認証をした後、現金引出金額を利用者の預金口座から減算し、現金引出金額データ及び有効期限データを含む予約券データ５０を携帯電話端末３０に送信して格納させる。現金引出を行う場合には、携帯電話端末３０から予約券データ５０を現金自動預払機１０に送信する。現金自動預払機１０は、予約券データ５０が有効期限を経過していない場合、その現金引出金額の現金を利用者に提供する。管理コンピュータ２１は、有効期限内に予約券データ５０を用いて現金引出が行われなかった場合には、減算した現金引出金額を元の預金口座に返却する。【選択図】図１
2008033959.tif 000002
【特許請求の範囲】
【請求項１】
利用者の預金口座データを記憶する預金口座データ記憶手段と、前記預金口座に関する取引処理を管理し、利用者端末とデータの送受信が可能な管理コンピュータを用いて、現金支払機における処理を管理するための管理方法であって、
前記管理コンピュータが、
利用者の預金口座データと引出予定金額データとを含む現金引出依頼を利用者端末から受信する受信段階と、
前記預金口座データに基づいて特定される預金口座の残高から、前記引出予定金額を減算するホールド段階と、
現金を引き出すときに現金支払機に送信される引出予定金額及び予約券識別子に関するデータを含む予約券データを前記利用者端末に送信する送信段階と、
前記予約券データを特定するための予約券識別子と、この予約券の引出予定金額を減算した前記預金口座を特定するデータとを関連付けた予約券発行データを予約券発行データ記憶部に記録する記録段階とを実行し、
前記利用者端末は、前記管理コンピュータから受信した予約券データを内蔵メモリに記憶する段階を実行し、
現金を引き出す場合には、前記現金支払機が、データ伝送を行う外部通信手段を介して利用者端末に対して予約券の要求を行ない、
前記利用者端末は、内蔵メモリに記憶していた予約券データを前記外部通信手段を介して前記現金支払機に送信し、この送信が完了すると、内蔵メモリに記憶していた予約券データを削除し、
前記現金支払機が、予約券データの発行金額の現金を利用者に提供する段階を実行し、
前記管理コンピュータは、前記現金支払機から現金提供を行なった予約券データを取得した場合、この予約券データの予約券識別子と同じ予約識別子を有する予約券発行データを予約券発行データ記憶部から削除する引落確定処理を行なう段階
を実行することを特徴とする現金引出管理方法。
【請求項２】
前記予約券データには、引出可能な期限に関する有効期限に関するデータを更に含め、
予約券データを受信した現金支払機は、この予約券が有効期限内であるか否かを判断し、まだ有効期限を経過していない場合には、予約券データの引出予定金額の現金を利用者に提供し、
前記管理コンピュータが、前記有効期限内に現金支払機が取得した予約券データ又は前記有効期限後の前記利用者端末の予約券データに基づいて、前記予約券データが使用されなかったことを検知した場合には、前記予約券データに関連付けられた前記預金口座に、前記引出予定金額を加算するホールド解除段階を更に実行することを特徴とする請求項１に記載の現金引出管理方法。
【請求項３】
前記記録段階は、前記予約券データに含まれる有効期限データを、その予約券発行データに関連付けて記録し、
前記ホールド解除段階は、前記記録段階において記録された有効期限データに基づいて、前記予約券の有効期限内に現金支払機において予約券データが回収されていないことを、その有効期限後に検知することにより実行することを特徴とする請求項２に記載の現金引出管理方法。
【請求項４】
前記現金支払機は、この現金支払機において取引処理を行った取引処理履歴データを記録した記録媒体を取り出し可能な形態で内蔵しており、
前記ホールド解除段階は、
前記現金支払機から前記記録媒体が取り出された取出日に関するデータと、前記現金支払機において現金が引き出されたときに取得した予約券データとを、前記記録媒体から取
得する記録データ取得段階を含み、
予約券データの有効期限と、現金支払機の前記記録媒体の取出日とを比較し、すべての取出日が有効期限を経過している場合にホールド解除を実行することを特徴とする請求項３に記載の現金引出管理方法。
【発明の詳細な説明】
【技術分野】
【０００１】
本発明は、現金引出管理方法に関する。
【背景技術】
【０００２】
現在、利用者が自分の預金口座から現金の引き出しや預け入れを行う場合、現金自動預払機を用いて行う。現金自動預払機は、通常、預金口座の取引処理を管理している管理コンピュータにオンラインで接続されている。そして、この現金自動預払機を用いて現金を引き出す場合には、現金自動預払機に、キャッシュカードを挿入するとともに、口座の開設時に設定した暗証番号を入力する。現金自動預払機は、挿入されたキャッシュカードから預金口座を特定するデータを取得し、このデータと入力された暗証番号データをオンラインで管理コンピュータに送信する。管理コンピュータは、受信したデータに基づいてユーザ認証を行い、ユーザ認証が完了した場合には、顧客の口座残高を確認し現金自動預払機に通知を行う。現金自動預払機は、ユーザ認証が完了し、利用者が要求した引出金額の確認が通知された場合に、現金の提供を行う。
【０００３】
また、金融処理を行うための金融コンテンツをアプリケーションとして携帯電話端末に組込むことにより、携帯電話端末を利用して現金自動預払機から現金を迅速に引き出すための技術も開示されている（例えば、特許文献１参考。）。この特許文献１では、ＩＣチップを内蔵する携帯電話端末を用いる。そして、携帯電話端末の入力手段を用いて銀行口座に係る暗証番号及び現金自動預払機における金融処理に係る情報を携帯電話端末に入力し、ＩＣチップに書き込む。そして、携帯電話端末のデータ転送手段を用いて、ＩＣチップから現金自動預払機へ非接触にてデータ転送する。現金自動預払機は転送された入力情報に基づいて金融処理を実行する。従って、携帯電話端末をキャッシュカードの代わりに用いて現金自動預払機を操作することができる。
【特許文献１】特開２００１−２９７１９８号公報（第１頁、図１）
【発明の開示】
【発明が解決しようとする課題】
【０００４】
ネットバンキングが拡大している今日においても現金が必要になることが多い。また、特許文献１に記載のように、キャッシュカードに代えて常時携帯している携帯電話端末を利用して現金を引き出したいというニーズもある。
【０００５】
しかし、特許文献１に記載の技術においても、現金自動預払機は、利用者の認証や口座の残高確認のためにオンラインでホストシステムに接続されている。このような現金自動預払機を設置する場合には、多大なネットワークの敷設やそのネットワークの維持管理コストが必要になる。従って、容易かつ効率的に現金を引き出すことのできる現金支払機を設置し、利用者にとって利便性の高いサービスを提供するための技術が求められていた。
【０００６】
本発明は、上記問題点を解決するためになされたものであり、その目的は、現金支払機を用いて利用者に対して効率的に現金の提供を行うことができる現金引出管理方法を提供することにある。
【課題を解決するための手段】
【０００７】
上記問題点を解決するために、請求項１に記載の発明は、利用者の預金口座データを記憶する預金口座データ記憶手段と、前記預金口座に関する取引処理を管理し、利用者端末とデータの送受信が可能な管理コンピュータを用いて、現金支払機における処理を管理するための管理方法であって、前記管理コンピュータが、利用者の預金口座データと引出予
定金額データとを含む現金引出依頼を利用者端末から受信する受信段階と、前記預金口座データに基づいて特定される預金口座の残高から、前記引出予定金額を減算するホールド段階と、現金を引き出すときに現金支払機に送信される引出予定金額及び予約券識別子に関するデータを含む予約券データを前記利用者端末に送信する送信段階と、前記予約券データを特定するための予約券識別子と、この予約券の引出予定金額を減算した前記預金口座を特定するデータとを関連付けた予約券発行データを予約券発行データ記憶部に記録する記録段階とを実行し、前記利用者端末は、前記管理コンピュータから受信した予約券データを内蔵メモリに記憶する段階を実行し、現金を引き出す場合には、前記現金支払機が、データ伝送を行う外部通信手段を介して利用者端末に対して予約券の要求を行ない、前記利用者端末は、内蔵メモリに記憶していた予約券データを前記外部通信手段を介して前記現金支払機に送信し、この送信が完了すると、内蔵メモリに記憶していた予約券データを削除し、前記現金支払機が、予約券データの発行金額の現金を利用者に提供する段階を実行し、前記管理コンピュータは、前記現金支払機から現金提供を行なった予約券データを取得した場合、この予約券データの予約券識別子と同じ予約識別子を有する予約券発行データを予約券発行データ記憶部から削除する引落確定処理を行なう段階を実行することを要旨とする。
【０００８】
請求項２に記載の発明は、請求項１に記載の現金引出管理方法において、前記予約券データには、引出可能な期限に関する有効期限に関するデータを更に含め、予約券データを受信した現金支払機は、この予約券が有効期限内であるか否かを判断し、まだ有効期限を経過していない場合には、予約券データの引出予定金額の現金を利用者に提供し、前記管理コンピュータが、前記有効期限内に現金支払機が取得した予約券データ又は前記有効期限後の前記利用者端末の予約券データに基づいて、前記予約券データが使用されなかったことを検知した場合には、前記予約券データに関連付けられた前記預金口座に、前記引出予定金額を加算するホールド解除段階を更に実行することを要旨とする。
【０００９】
請求項３に記載の発明は、請求項２に記載の現金引出管理方法において、前記記録段階は、前記予約券データに含まれる有効期限データを、その予約券発行データに関連付けて記録し、前記ホールド解除段階は、前記記録段階において記録された有効期限データに基づいて、前記予約券の有効期限内に現金支払機において予約券データが回収されていないことを、その有効期限後に検知することにより実行することを要旨とする。
【００１０】
請求項４に記載の発明は、請求項３に記載の現金引出管理方法において、前記現金支払機は、この現金支払機において取引処理を行った取引処理履歴データを記録した記録媒体を取り出し可能な形態で内蔵しており、前記ホールド解除段階は、前記現金支払機から前記記録媒体が取り出された取出日に関するデータと、前記現金支払機において現金が引き出されたときに取得した予約券データとを、前記記録媒体から取得する記録データ取得段階を含み、予約券データの有効期限と、現金支払機の前記記録媒体の取出日とを比較し、すべての取出日が有効期限を経過している場合にホールド解除を実行することを要旨とする。
【００１１】
（作用）
本発明によれば、管理コンピュータは、利用者から現金引出依頼を受信したときには、その引出予定金額を、現金支払機において現金が引き出される前に、利用者の預金口座から減算してホールドする。利用者端末は、現金支払機から現金を引き出すときには、管理コンピュータから受信した予約券データを用いる。このため、現金支払機は、管理コンピュータとはオフラインであっても、予約券データに含まれる引出予定金額に基づいて、利用者に現金を提供することができる。また、管理コンピュータは、利用者の預金口座の残高から引出予定金額分だけを減算するので、減算された預金口座の残高から、利用者が他の現金支払機において現金を引き出すこともできる。
【００１２】
本発明によれば、利用者が現金引出依頼を行って予約券データを取得しても、それを使用しない場合には、管理コンピュータは、現金引出依頼によって利用者の口座から減算された引出予定金額を加算して、ホールド解除を行う。すなわち、管理コンピュータは、使用されなかった予約券に関する引出予定金額を口座に戻すことにより、利用者の利便性を図ることができる。よって、オフランの現金支払機において、利用者に現金引出のサービスを行えるので、利用者の利便性を図ることができる。
【００１３】
本発明によれば、管理コンピュータは、予約券発行データに関連付けて記録された有効期限データに基づいて、予約券の有効期限内に現金支払機において予約券データが回収されていないことを、その有効期限後に検知することによりホールド解除を実行する。このため、発行した予約券データを利用者が使用せずに現金引出を行わなかったことを、管理コンピュータが記録した有効期限データに基づいて把握することができる。従って、管理コンピュータは、利用者端末にアクセスしなくても、利用者が予約券データを使用しなかったことを検知できるので、ホールドした引出予定金額を利用者の預金口座に速やかに戻すことができる。
【００１４】
本発明によれば、現金支払機は、この現金支払機において取引処理を行った取引処理データを記録した記録媒体を着脱可能に内蔵している。管理コンピュータは、現金支払機から前記記録媒体が取り出された取出日に関するデータと、前記現金支払機において現金が引き出されたときに取得した予約券データとを、前記記録媒体から取得する。管理コンピュータは、予約券データの有効期限を、すべての現金支払機の前記記録媒体の取出日が経過している場合には、利用者の口座のホールドを解除する。従って、現金支払機の取出日を把握することにより、予約券が使用されたか否かを迅速に知ることができるので、速やかに利用者の口座のホールドを解除することができる。
【発明の効果】
【００１５】
本発明によれば、オフラインであっても現金支払機を用いて利用者に現金の提供を行うことができる。
【発明を実施するための最良の形態】
【００１６】
以下、本発明を具体化した実施形態を図１〜図６に従って説明する。本実施形態では、例えば、現金支払機としての現金自動預払機（ＡＴＭ：automated-teller machine）１０を用いた現金管理システムについて説明する。この現金自動預払機１０は、金融機関などにおいて取引処理を管理するホストシステム２０とは接続されておらず、いわゆるオフラインになっている。
【００１７】
図１に示すように、現金自動預払機１０は、タッチパネルディスプレイを備え、このタッチパネルディスプレイを介して利用者に対して各種情報を表示したり、利用者から取引指示を受け付けたりする。現金自動預払機１０は、利用者との間で紙幣や硬貨の受け渡しを行うために用いられる現金取扱部と、利用者のキャッシュカードを収容するカード取扱部と、利用者の通帳を収容する通帳取扱部が設けられている。また、本実施形態の現金自動預払機１０は、外部通信手段として、赤外線データ通信（ＩｒＤＡ規格）等を用いてデータ伝送を行う外部インターフェース部１６を有する。
【００１８】
現金自動預払機１０は、制御手段としての制御部を内蔵している。この制御部は、現金取扱部を用いて紙幣や硬貨の入出金を管理し、カード取扱部又は通帳取扱部に挿入されたキャッシュカード又は通帳からのデータの読み出しや書き込みを行う。また、制御部は、外部インターフェース部１６を介して、他の赤外線データ通信を行う端末とデータの送受信を行う。
【００１９】
更に、現金自動預払機１０は、記録媒体としての磁気テープＭＴに、取引処理履歴データを記録する書込手段としてのデータ書込部を備える。そして、制御部は、この書込手段を用いて、利用者と現金自動預払機１０との間で行われた取引内容を磁気テープＭＴに記録する。この磁気テープＭＴは、所定日毎に、新たな磁気テープＭＴと交換されて、取引内容が記録された磁気テープＭＴは、ホストシステム２０へと送付される。
【００２０】
ホストシステム２０は、管理コンピュータ２１を備えている。管理コンピュータ２１は、図示しないＣＰＵ、ＲＡＭ及びＲＯＭ等を有し、後述する処理（受信段階、ホールド段階、送信段階、記録段階及び記録データ取得段階を含むホールド解除段階を含む処理）を行う。そして、このための現金引出管理プログラムを実行することにより、管理コンピュータ２１は、受信手段、ホールド手段、送信手段、記録手段及び記録データ取得手段を含むホールド解除手段等として機能する。
【００２１】
管理コンピュータ２１は、預金口座データ記憶手段としての預金口座データ記憶部２２、ＡＴＭ管理データ記憶部２３及び予約券発行データ記憶部２４に接続されている。
預金口座データ記憶部２２には、図２に示すように、預金口座データ２２０が記録されている。この預金口座データ２２０は、銀行の預金口座が開設されると記録される。預金口座データ２２０は、預金口座識別子、顧客識別子、暗証番号及び口座残高に関するデータを含む。
【００２２】
預金口座識別子データ領域には、預金口座を特定するための識別子に関するデータが記録される。この預金口座識別子は、支店、預金種目及び口座番号に関するデータを含んで構成される。
【００２３】
顧客識別子データ領域には、この預金口座を有する利用者を特定するための識別子に関するデータが記録される。
暗証番号データ領域には、この預金口座の利用時に用いる暗証番号に関するデータが記録される。本実施形態では、後述するように、この暗証番号は、予約券発行時及び現金引出のときのユーザ認証に用いられる。
【００２４】
口座残高データ領域には、この預金口座の残高に関するデータが記録される。
また、ＡＴＭ管理データ記憶部２３には、図３に示すように、オフラインのＡＴＭを管理するためのＡＴＭ管理データ２３０が記録されている。このＡＴＭ管理データ２３０は、オフラインの現金自動預払機１０から、その現金自動預払機１０において行われた取引内容が記録された磁気テープＭＴが回収されると記録される。このＡＴＭ管理データ２３０は、現金自動預払機識別子及び最終取出日に関するデータが記録されている。
【００２５】
現金自動預払機識別子データ領域には、磁気テープＭＴに記録された取引内容を行ったオフラインの現金自動預払機１０を特定するための識別子に関するデータが記録される。
最終取出日データ領域には、磁気テープＭＴが、現金自動預払機１０から取り出された最近の日付に関するデータが記録される。本実施形態では、磁気テープＭＴは、定期的に、現金自動預払機１０の取扱時刻の終了後に取り出されて交換される。従って、ホストシステム２０は、この最終取出日までのオフラインの現金自動預払機１０の処理内容を把握することができる。
【００２６】
予約券発行データ記憶部２４には、図４に示すように、現金を引き出すための予約券発行データ２４０が記録される。この予約券発行データ２４０は、オフラインの現金自動預払機１０を用いて現金引出を希望する利用者に対して予約券を発行する場合に記録される。この予約券発行データ２４０は、予約券識別子、預金口座識別子、発行金額、有効期限
及びパスワードに関するデータを含む。
【００２７】
予約券識別子データ領域には、予約券を特定するための識別子に関するデータが記録される。
預金口座識別子データ領域には、オフラインの現金自動預払機１０によって現金の引出を希望する利用者の預金口座を特定するための識別子に関するデータが記録される。この預金口座の残高に基づいて、現金を引き出すための予約券が発行される。
【００２８】
発行金額データ領域には、この予約券によって現金を引き出すことができる金額に関するデータが記録される。この発行金額データは、利用者からの依頼により利用者が現金を引き出すことを希望した引出予定金額データに対応する。
【００２９】
有効期限データ領域には、この予約券の有効期限に関するデータが記録される。この有効期限前であれば、この予約券を用いて現金自動預払機１０から現金を引き出すことができる。
【００３０】
パスワードデータ領域には、この予約券を利用するときに入力されるパスワードに関するデータが記録される。このパスワードは、ユーザによって設定され、後述する予約券データに含められる。
【００３１】
一方、ホストシステム２０にネットワークＮを介して、利用者端末としての携帯電話端末３０が接続可能となっている。この携帯電話端末３０は、ディスプレイや操作ボタンなどを備えている。携帯電話端末３０は、ディスプレイに画面を表示することにより、予約券の発行や現金引出依頼を行うために、預金口座識別子やパスワードなどの入力や指示の入力を促す。携帯電話端末３０は、操作ボタンを介して、パスワードや顧客識別子の入力や指示を受け付ける。
【００３２】
また、携帯電話端末３０は、ホストシステム２０から受信した予約券データ５０を記憶するメモリを内蔵する。予約券データ５０の予約券識別子、有効期限、発行金額及びパスワードに関するデータは、予約券発行データ記憶部２４に予約券発行データ２４０として記録されているデータと同一である。すなわち、予約券データ５０は、この予約券を特定するための予約券識別子、この予約券が利用できる有効期限、この予約券を用いて現金引出の可能な金額、この予約券を使用するときに用いられるパスワードに関するデータを含む。ここで、予約券データ５０は、携帯電話端末３０においては改竄できないようにされている。このうち、予約券識別子、有効期限、発行金額に関するデータは、現金自動預払機１０で復号化できるように暗号化されている。そして、携帯電話端末３０は、予約券データ５０のパスワードデータを用いて、予約券を用いた現金引出処理において利用権限の認証を行う。
【００３３】
更に、携帯電話端末３０は外部インターフェース部を備える。この外部インターフェース部は、他の装置（ここでは、現金自動預払機１０）と、赤外線データ通信を行う。
次に、本実施形態におけるオフラインの現金自動預払機１０を用いた金銭管理システムについて説明する。本実施形態では、現金引出処理及びオフラインの現金自動預払機１０の管理処理の順に説明する。
【００３４】
（現金引出処理）
まず、図５を用いて、利用者がオフラインの現金自動預払機１０を用いて、現金を引き出す場合の現金引出処理について説明する。
【００３５】
利用者がオフラインの現金自動預払機１０から現金の引き出しを希望する場合には、携
帯電話端末３０を用いて予約券の発行を依頼する。ここにおいて、利用者は、まず、自分の携帯電話端末３０をネットワークＮを介してホストシステム２０に接続させてアクセスを行う（ステップＳ１−１）。このとき、携帯電話端末３０は、ホストシステム２０に対して、利用者の預金口座識別子及びその預金口座の暗証番号を送信する。
【００３６】
ホストシステム２０は、利用者のユーザ認証を行う（ステップＳ１−２）。具体的には、管理コンピュータ２１は、受信した預金口座識別子を有する預金口座データ２２０を預金口座データ記憶部２２から特定する。そして、管理コンピュータ２１は、この預金口座データ２２０の暗証番号データが受信した暗証番号のデータと一致するかを比較する。比較した結果、一致しない場合には、管理コンピュータ２１は、その旨を携帯電話端末３０に送信し、アクセスを拒否する。
【００３７】
一方、比較した結果、一致した場合には、管理コンピュータ２１は、利用者に対して、依頼内容を選択させるためのメニュー画面データを携帯電話端末３０に送信する。このメニュー画面データを用いて、携帯電話端末３０は、利用者に対して依頼内容の選択を促す。ここで、利用者は、予約券の発行依頼を選択し、これとともに、引落金額を入力する。更に、利用者は、オフラインの現金自動預払機１０から現金を引き出すときに必要となる予約券のパスワードを設定する。
【００３８】
次に、携帯電話端末３０は、ホストシステム２０に対して予約券発行依頼を行う（ステップＳ１−３）。この予約券発行依頼には、携帯電話端末３０は、利用者が設定したパスワード及び引落金額に関するデータが含まれる。
【００３９】
そして、ホストシステム２０の管理コンピュータ２１は、残高ホールド処理を行う（ステップＳ１−４）。具体的には、管理コンピュータ２１は、携帯電話端末３０から送信された予約券発行依頼に含まれた引落金額データに対応する金額を、特定した利用者の預金口座データ２２０の残高から一時的に引き落とす。そして、管理コンピュータ２１は、残高金額から引落金額分を減額した金額を新たな預金口座データ２２０の残高として預金口座データ記憶部２２に記録する。この場合、予約券を発行した金額に関しては、予約券の発行者（ここでは、金融機関）側に一時的に確保される。
【００４０】
次に、管理コンピュータ２１は、予約券発行データ２４０を予約券発行データ記憶部２４に記録する。具体的には、まず、管理コンピュータ２１は、発行する予約券に予約券識別子を付与する。そして、予約券発行データ２４０には、この予約券識別子、預金口座識別子、発行金額、有効期限及びパスワードに関するデータを含める。本実施形態では、有効期限として、ホストシステム２０が予約券発行依頼を受けた日付から所定期間（例えば３日）後の年月日を用いる。
【００４１】
そして、ホストシステム２０の管理コンピュータ２１は、予約券の発行を行う（ステップＳ１−５）。ここで、管理コンピュータ２１は、予約券データ５０を生成して、携帯電話端末３０に送信する。具体的には、管理コンピュータ２１は、予約券発行データ２４０の予約券識別子、有効期限、発行金額及びパスワードに関するデータを予約券発行データ記憶部２４から抽出する。そして、管理コンピュータ２１は、これら抽出したデータを合成して暗号化した予約券データ５０を生成して、携帯電話端末３０に送信する。
【００４２】
次に、予約券データ５０を受信した携帯電話端末３０は、予約券を格納する（ステップＳ１−６）。具体的には、携帯電話端末３０は、ホストシステム２０から受信した予約券データ５０を内蔵メモリに記憶させる。
【００４３】
次に、予約券の発行を受けた利用者は、現金を引き出す場合の処理を説明する。この場
合、現金の引き出しを行うオフラインの現金自動預払機１０に対して、携帯電話端末３０を用いて現金引出依頼を行う（ステップＳ１−７）。具体的には、携帯電話端末３０の外部インターフェース部から、現金自動預払機１０の外部インターフェース部１６に対して、赤外線データ通信を行うことにより、携帯電話端末３０は現金引出依頼を現金自動預払機１０に送信する。
【００４４】
現金引出依頼を受信した現金自動預払機１０は、携帯電話端末３０に対して予約券の要求を行う（ステップＳ１−８）。
予約券の要求を受けた携帯電話端末３０は、利用者に対してパスワードの入力を要求する（ステップＳ１−９）。具体的には、携帯電話端末３０は、ディスプレイに暗証番号の入力画面を表示することによりパスワードの入力を要求する。そこで、利用者は、ステップＳ１−３において設定したパスワードを入力画面に入力する。そして、入力画面に表示された入力完了のボタンを選択する。
【００４５】
この場合、携帯電話端末３０は、入力されたパスワードと、予約券データ５０に含まれているパスワードと一致しているか否かを判断する（ステップＳ１−１０）。そして、パスワードが一致しない場合（ステップＳ１−１０において「ＮＯ」の場合）には、携帯電話端末３０は、予約券の使用を拒否し、処理を終了する。この場合、携帯電話端末３０は、暗証番号が一致しない旨をディスプレイに表示する。
【００４６】
一方、パスワードが一致する場合（ステップＳ１−１０において「ＹＥＳ」の場合）には、携帯電話端末３０は、予約券の移転を行う（ステップＳ１−１１）。具体的には、携帯電話端末３０は、内蔵メモリに記憶していた予約券データ５０を現金自動預払機１０に送信する。そして、携帯電話端末３０は、送信が完了すると、内蔵メモリに記憶していた予約券データ５０を削除する。
【００４７】
予約券データ５０を受信した現金自動預払機１０は、この予約券が有効期限内であるか否かを判断する（ステップＳ１−１２）。具体的には、現金自動預払機１０は、受信した予約券データ５０を復号化し、その予約券データ５０に含まれる有効期限を取得する。そして、取得した有効期限と現在の年月日とを比較し、有効期限が到来しているか否かを判断する。
【００４８】
有効期限をすでに経過している場合（ステップＳ１−１２において「ＮＯ」の場合）には、現金自動預払機１０は、現金の提供を拒否する。具体的には、現金自動預払機１０は、そのタッチパネルディスプレイに「予約券の有効期限が切れており、ご使用できません」等を含む画面を表示する。そして、現金の提供を拒否した依頼処理履歴データを予約券データ５０とともに、磁気テープＭＴに記録する。
【００４９】
一方、まだ有効期限を経過していない場合（ステップＳ１−１２において「ＹＥＳ」の場合）には、現金自動預払機１０は、予約券データ５０の発行金額の現金を利用者に提供する（ステップＳ１−１３）。具体的には、現金自動預払機１０は、発行金額の現金を現金取扱部から排出するとともに、この依頼処理履歴データを磁気テープＭＴに記録する。依頼処理履歴データには、携帯電話端末３０から回収した予約券データ５０とともに、現金自動預払機１０が処理を行った日付に関するデータを含める。以上により、現金引出処理が完了する。
【００５０】
（オフラインの現金自動預払機１０の管理処理）
次に、図６を用いて、オフラインの現金自動預払機１０を管理するホストシステム２０の管理処理について説明する。
【００５１】
現金自動預払機１０においては、定期的に磁気テープＭＴが取り出されて交換される。この磁気テープＭＴが取り出されるときに、現金自動預払機１０の現金自動預払機識別子及び最終取出日に関するデータが磁気テープＭＴに記録される。そして、この磁気テープＭＴは、ホストシステム２０に送付される。
【００５２】
ホストシステム２０の管理コンピュータ２１は、送付された磁気テープＭＴから、記録データを取得する（ステップＳ２−１）。この記録データには、現金自動預払機１０を特定するための現金自動預払機識別子、取出日及び処理内容が含まれる。ここで、処理内容には、磁気テープＭＴが内蔵されていた現金自動預払機１０における各種取引の処理内容及び処理を行った時刻が含まれている。また、この磁気テープＭＴには、回収された予約券データ５０が記録されている。
【００５３】
そこで、管理コンピュータ２１は、ＡＴＭ管理データ記憶部２３に記録されたＡＴＭ管理データ２３０を更新する（ステップＳ２−２）。具体的には、管理コンピュータ２１は、記録データに含まれる現金自動預払機識別子を有するＡＴＭ管理データ２３０をＡＴＭ管理データ記憶部２３から特定する。そして、管理コンピュータ２１は、記録データに記録されている取出日を、特定したＡＴＭ管理データ２３０の最終取出日として記録する。
【００５４】
次に、管理コンピュータ２１は、引落確定処理を行う（ステップＳ２−３）。具体的には、現金提供を行った予約券データ５０の予約券識別子と同じ予約券識別子を有する予約券発行データ２４０を予約券発行データ記憶部２４から削除する。なお、ステップＳ１−１２において有効期限が切れ現金提供が行われなかった予約券データ５０が回収されている場合には、後述するホールド解除処理を行う（ステップＳ２−６）。
【００５５】
その後、管理コンピュータ２１は、有効期限が到来した予約券があるか否かを判断する（ステップＳ２−４）。具体的には、管理コンピュータ２１は、予約券発行データ記憶部２４に記録されている予約券発行データ２４０と、現在の時刻とを比較する。
【００５６】
そして、有効期限が到来した予約券がない場合（ステップＳ２−４において「ＮＯ」の場合）には、管理処理を終了する。
一方、有効期限が到来した予約券がある場合（ステップＳ２−４において「ＹＥＳ」の場合）には、管理コンピュータ２１は、すべての現金自動預払機１０の磁気テープＭＴの最終取出日が、予約券の有効期限を経過しているか否かを判断する（ステップＳ２−５）。具体的には、管理コンピュータ２１は、ＡＴＭ管理データ記憶部２３に記録されているすべての現金自動預払機１０の磁気テープＭＴの最終取出日と、有効期限が到来した予約券の有効期限とを比較する。
【００５７】
そして、ＡＴＭ管理データ２３０の最終取出日の中に、その予約券の有効期限よりも前の日付がある場合（ステップＳ２−５において「ＮＯ」の場合）には、処理を終了する。これは、まだ回収されていない磁気テープＭＴに、その予約券についての処理内容が記録されている可能があるためである。
【００５８】
一方、すべてのＡＴＭ管理データ２３０の最終取出日が、予約券の有効期限よりも後になっている場合（ステップＳ２−５において「ＹＥＳ」の場合）には、ホールド解除処理を行う（ステップＳ２−６）。すなわち、この予約券は有効期限を経過しても使用されていないため、管理コンピュータ２１は、予約券発行データ記憶部２４に記録していた発行金額を、その元の預金口座に戻す。具体的には、管理コンピュータ２１は、有効期限が経過した予約券発行データ２４０の預金口座識別子に基づいて、預金口座データ記憶部２２の預金口座データ２２０を特定する。特定した預金口座データ２２０の口座残高に、予約券発行データ２４０の発行金額を加算した値を新たな口座残高として預金口座データ２２
０に記録する。更に、管理コンピュータ２１は、その予約券発行データ２４０を予約券発行データ記憶部２４から削除する。以上により、ホストシステム２０におけるオフラインの現金自動預払機１０の管理処理が完了する。
【００５９】
本実施形態によれば、以下のような効果を得ることができる。
・  本実施形態では、管理コンピュータ２１は、予約券発行依頼（ステップＳ１−３）に基づいて、発行金額を利用者の預金口座から減額する残高ホールド処理を行い（ステップＳ１−４）、予約券データ５０を携帯電話端末３０に送信して予約券の発行を行う（ステップＳ１−５）。携帯電話端末３０は、発行金額データ及び有効期限データを含む予約券データ５０を格納し（ステップＳ１−６）、予約券データ５０を現金自動預払機１０に送信する。現金自動預払機１０は、予約券データ５０が有効期限内の場合（ステップＳ１−１２において「ＹＥＳ」の場合）には、予約券データ５０の発行金額の現金を利用者に提供する（ステップＳ１−１３）。従って、管理コンピュータ２１は、オフラインの現金自動預払機１０において現金が引き出される前に、利用者の預金口座から引出予定金額を減算する。このため、現金自動預払機１０は、管理コンピュータ２１とオフラインであっても、予約券データ５０に含まれる引出予定金額に基づいて、利用者に現金を提供することができる。
【００６０】
また、管理コンピュータ２１は、すべてのＡＴＭ管理データ２３０の最終取出日が有効期限よりも後になっている予約券がある場合（ステップＳ２−５において「ＹＥＳ」の場合）には、発行金額を元の預金口座に返金するホールド解除処理を行う（ステップＳ２−６）。このため、利用者が予約券発行依頼を行って予約券データを取得しても、現金の引出を行わない場合には、管理コンピュータ２１は、現金引出依頼によって利用者の預金口座から減算された引出予定金額を返還することができる。従って、管理コンピュータは、使用されなかった予約券に関する金額を戻すことにより、利用者の利便性を高くすることができる。そして、有効期限経過後に、予約券に不使用を確認できた場合には、預金口座から減額した引出予定金額を速やかに返却することができる。
【００６１】
・  本実施形態では、管理コンピュータ２１は、オフラインの現金自動預払機１０から現金引出を行うときに用いられる予約券の発行するとき（ステップＳ１−５）に、通常の現金引出処理において行われるユーザ認証（ステップＳ１−２）を行う。管理コンピュータ２１は、現金引出を行う利用者を確認した上で予約券の発行をするため、現金の引出時にオンラインにより利用者認証を確認できないオフラインの現金自動預払機１０においても、より確実に現金の提供を行うことができる。
【００６２】
・  本実施形態では、管理コンピュータ２１は、予約券の発行のとき（ステップＳ１−５）に、予約券を特定する予約券識別子及び発行金額とともに、その予約券の有効期限を予約券発行データ２４０として予約券発行データ記憶部２４に記録する。管理コンピュータ２１は、この予約券発行データ２４０に記録された予約券の有効期限データと、各現金自動預払機１０の磁気テープＭＴの記録データとを用いて、予約券データに基づいて現金が引き出されたか否かを判断する。そして、管理コンピュータ２１は、予約券の発行を行っても、利用者が現金自動預払機１０から現金の引出を行わなかった場合には、その発行金額を利用者の預金口座に返還する。従って、利用しなかった金額は返還されるため、利用者の利便性を図ることができる。
【００６３】
・  本実施形態では、現金自動預払機１０から予約券の要求を受けた携帯電話端末３０は、予約券データ５０を携帯電話端末３０に送信する前に、パスワードの入力要求を行う（ステップＳ１−９）。そして、携帯電話端末３０に入力されたパスワードが、携帯電話端末３０に格納されている予約券データ５０のパスワードと一致する場合にのみ、携帯電話端末３０は、予約券データ５０を現金自動預払機１０に送信する。パスワードが一致せ
ず、認証が正しく行われない場合には、携帯電話端末３０から予約券データ５０を送信することができないため、現金自動預払機１０から現金を引き出すことができない。従って、携帯電話端末３０に格納した予約券データ５０を他人が取得しても、この予約券データ５０を用いて現金を引き出すことを抑止し、現金引出の安全性を高めることができる。
【００６４】
・  本実施形態では、携帯電話端末３０は、入力されたパスワードと予約券データ５０に含まれているパスワードが一致する場合（ステップＳ１−１０において「ＹＥＳ」の場合）に、予約券データ５０を現金自動預払機１０に送信する。このため、正確なパスワードを入力しない限り、予約券データ５０は携帯電話端末３０に格納されたままになる。従って、利用者がパスワードの入力を間違った場合、正しいパスワードを入力し直すことができる。
【００６５】
・  本実施形態では、携帯電話端末３０が現金自動預払機１０に送信するときに要求するパスワードは、予約券発行依頼を行う（ステップＳ１−３）ときに、利用者が設定する。このため、他人に知られ難いパスワードや利用者が忘れ難いパスワードや利用者の都合がよいパスワード等を設定することができる。また、予約券の発行を受ける度に、パスワードを変更することも可能となるので、そのときに都合のよいパスワードを設定して、その予約券を用いて現金引出を行うこともできる。
【００６６】
・  本実施形態では、予約券データ５０が有効期限内であるか否かは、現金自動預払機１０が判断する（ステップＳ１−１２）。このため、有効期限をすでに経過したために使用できない予約券データ５０も、携帯電話端末３０から現金自動預払機１０に移転される。従って、不使用となった予約券データ５０が現金自動預払機１０の磁気テープＭＴに記録された場合には、この予約券データ５０に基づいて、管理コンピュータ２１はホールド解除処理を行うことができる。よって、管理コンピュータ２１は、その予約券データ５０の有効期限より前の最終取出日の現金自動預払機１０があったとしても、その不使用となった予約券データ５０に基づいてホールド解除処理を迅速に行うことができる。また、不使用となった予約券データ５０を携帯電話端末３０から削除することもできる。
【００６７】
また、上記実施形態は以下のように変更してもよい。
○  上記実施形態においては、利用者は、予約券データ５０に含まれる発行金額をオフラインの現金自動預払機１０から引き出した。引き出す金額はこれに限られず、この予約券データ５０に含まれる発行金額を、利用者が引き出し可能な最大金額とし、利用者が発行金額より少ない金額を引き出すことができるようにしてもよい。この場合、現金自動預払機１０は、携帯電話端末３０から受信した予約券データ５０が有効期限内であった場合（ステップＳ１−１２において「ＹＥＳ」の場合）には、利用者に引出金額の入力を要求する。そして、利用者が発行金額よりも低額の金額を入力した場合には、その金額に対応する現金を提供するとともに、その提供した提供金額を予約券データ５０に関連付けて磁気テープＭＴに記録する。管理コンピュータが、磁気テープＭＴから記録データを読み取ったときに、予約券データ５０に関連付けて提供金額が記録されている場合には、この提供金額を発行金額から減算した分を利用者の預金口座に戻すようなホールド解除処理を行ってもよい。このため、引き出す金額を変更した場合にも、必要な金額だけを引き出すことができるので、利用者の利便性を向上させることができる。
【００６８】
○  上記実施形態においては、携帯電話端末３０は、現金自動預払機１０に予約券データ５０を送信するときに、パスワードの入力要求を行い（ステップＳ１−９）、携帯電話端末３０においてパスワードが一致するか否か（ステップＳ１−１０）の認証を行った。パスワードの認証はこれに限られず、現金自動預払機１０において行ってもよい。具体的には、携帯電話端末３０は、現金自動預払機１０から予約券の要求があった場合（ステップＳ１−８）、予約券データ５０を現金自動預払機１０に送信する。なお、このとき、有
効期限内の予約券データ５０がある場合には、送信する予約券データ５０を利用者に選択させてもよい。予約券データ５０を受信した現金自動預払機１０は、そのタッチパネルディスプレイにおいて、パスワードデータの入力を要求する。現金自動預払機１０は、入力されたパスワードデータと、予約券データ５０のパスワードデータが一致した場合には、有効期限内の予約券データ５０の発行金額に基づいて現金を提供する。この場合、パスワードデータを間違えたときには、予約券データ５０が回収されることになるため、セキュリティをより高めることができる。
【００６９】
○  上記実施形態においては、すべての現金自動預払機１０の磁気テープＭＴの最終取出日が有効期限を経過した場合（ステップＳ２−５において「ＹＥＳ」の場合）、管理コンピュータ２１は、使用されなかった予約券についてのホールド解除処理を行った。これに代えて、管理コンピュータ２１は、有効期限が十分に経過している場合に、その発行した予約券が使用されなかったとしてホールド解除処理を行ってもよい。例えば、磁気テープＭＴは遅くとも３日毎に交換され、その磁気テープＭＴが現金自動預払機１０から取り出されてから遅くても２日後には、管理コンピュータ２１が記録データを取得できる運用を行う場合を想定する。この場合、予約券の有効期限を２日とすると、予約券が発行してから１０日以内に、予約券データ５０の記録データを取得しなかった場合には、発行した予約券が使用されなかったとしてホールド解除処理を行ってもよい。これにより、管理コンピュータ２１は、ステップＳ２−４、ステップＳ２−５を実行せずにホールド解除処理を行うことができる。
【００７０】
○  上記実施形態においては、すべての現金自動預払機１０の磁気テープＭＴの最終取出日が有効期限を経過した場合には、管理コンピュータ２１は、使用されなかった予約券のホールド解除処理を行った。これに代えて、管理コンピュータ２１が、使用されなかった予約券を携帯電話端末３０から直接、回収し、そのときにホールド解除処理を行ってもよい。例えば、管理コンピュータ２１は、有効期限が切れている予約券の予約券データ５０を格納している携帯電話端末３０からアクセスがあった場合に、その予約券データ５０を携帯電話端末３０から移転させる。管理コンピュータ２１は、移転した予約券データ５０に基づいて、ホールド解除処理を行い、発行金額を預金口座に返還してもよい。この場合、管理コンピュータ２１は、予約券データ５０を移転させることにより、予約券データ５０を携帯電話端末３０において削除することができる。これにより、携帯電話端末３０のメモリを有効活用できる。
【００７１】
更に、管理コンピュータ２１は、すべての現金自動預払機１０からの磁気テープＭＴの記録データを取得するよりも前に、携帯電話端末３０から新たな現金引出依頼があった場合には、不使用となった予約券データ５０に基づく発行金額のホールド解除を迅速に行うことができる。なお、この場合、携帯電話端末３０は、現金自動預払機１０に対して使用可能な有効期限内の予約券データ５０のみを送信するようにしてもよい。
【００７２】
○  上記実施形態においては、携帯電話端末３０から予約券を現金自動預払機１０に移転させるために入力要求されるパスワードは、予約券発行依頼（ステップＳ１−３）を行うときに利用者が設定した。これに限らず、パスワードは、管理コンピュータ２１が設定してもよい。この場合、管理コンピュータ２１は、パスワードとして預金口座の暗証番号を用いて、預金口座の暗証番号をパスワードとしたことを利用者に通知してもよい。これにより、利用者はパスワードの設定を省略することができる。
【００７３】
○  上記実施形態においては、現金自動預払機１０が管理コンピュータ２１に接続されていない、オフラインの現金自動預払機１０を用いた。これに限らず、通常はオンラインであるが、所定期間、オフラインとなる現金自動預払機１０に適用してもよい。例えば、金融機関の営業時間はオンラインで管理コンピュータ２１に接続されており、営業時間終
了後にはオフラインとなる現金自動預払機であってもよい。この場合にも、オフライン時に受け付けた予約券データ５０を用いて、利用者に現金を提供することができる。
【図面の簡単な説明】
【００７４】
【図１】本発明の実施形態のシステム概略図。
【図２】預金口座データ記憶部に記録されたデータの説明図。
【図３】ＡＴＭ管理データ記憶部に記録されたデータの説明図。
【図４】予約券発行データ記憶部に記録されたデータの説明図。
【図５】本実施形態の現金引出処理の処理手順の流れ図。
【図６】本実施形態の現金自動預払機の管理処理の処理手順の流れ図。
【符号の説明】
【００７５】
ＭＴ…記録媒体としての磁気テープ、１０…現金支払機としての現金自動預払機、１６…外部インターフェース部、２１…管理コンピュータ、２２…預金口座データ記憶手段としての預金口座データ記憶部、２４…予約券発行データ記憶部、３０…利用者端末としての携帯電話端末、５０…予約券データ、２２０…預金口座データ、２４０…予約券発行データ。
【図１】
2008033959.tif 000003
【図２】
2008033959.tif 000004
【図３】
2008033959.tif 000005
【図４】
2008033959.tif 000006
【図５】
2008033959.tif 000007
【図６】
2008033959.tif 000008